(57)【要約】【課題】露出させることなく目立たずに配置することができ、部屋を狭めることなく、部屋を広く有効活用することができると共に、別売りのテレビジョン等の映像装置や他の家具との調和性を損なうことなく、部屋のトータルインテリアデザイン性を向上させることができ、さらには、映像機器とスピーカとを略面一に配置することが可能となるように構成することで、視聴者に映像と音を同期させて伝えることができ、長時間視聴した場合でも疲れにくく、また、近年の薄型映像機器でも効果的に低周波数域の音を再生することができる壁構造を提供する。【解決手段】建物の部屋を構成する壁の構造部に、再生する低周波数域を拡大する長尺の筒体からなるスピーカキャビネットを組み込む。このスピーカキャビネットは、壁の柱部を形成する。また、このスピーカキャビネットは、壁部に対して一以上が縦或は横に組み込まれて構成されている。【選択図】図５
2005150872.tif 000002
【特許請求の範囲】
【請求項１】
建物の部屋を構成する壁の構造部に、再生する低周波数域を拡大する長尺の筒体からなるスピーカキャビネットを組み込んだことを特徴とする壁構造。
【請求項２】
前記スピーカキャビネットは、壁の柱部を形成していることを特徴とする請求項１に記載の壁構造。
【請求項３】
前記スピーカキャビネットは、壁部に対して一以上が縦或は横に組み込まれて構成されていることを特徴とする請求項１又は請求項２のいずれかに記載の壁構造。
【請求項４】
前記スピーカキャビネットを、映像装置が配置可能な平板パネルで連結したことを特徴とする請求項１乃至請求項３のいずれかに記載の壁構造。
【請求項５】
前記平板パネルは、スピーカキャビネットの室内側に連結され、スピーカキャビネットからの再生音の室内側送出口である開口部と、映像機器の画面とを略面一に設定可能であることを特徴とする請求項４に記載の壁構造。
【請求項６】
前記平板パネルは、スピーカキャビネットの背板部分に連結されていることを特徴とする請求項４に記載の壁構造。
【請求項７】
前記スピーカキャビネットは、中空状に形成されたキャビネット本体と、該キャビネット本体の内部空間上部に配設され再生音をキャビネット本体の端部に送出する低周波数域再生用スピーカと、該低周波数域再生用スピーカからの再生音を室内側へと送出するキャビネット本体の端部に形成された開口部と、を有して構成されてなる請求項１乃至請求項６のいずれかに記載の壁構造。
【請求項８】
前記キャビネット本体の開口部は、床板と壁面との間の蹴込み板部分に相当する部位に形成したことを特徴とする請求項７に記載の壁構造。
【請求項９】
前記スピーカキャビネットは、床板から天井までの高さ寸法を有して構成されていることを特徴とする請求項１乃至請求項８のいずれかに記載の壁構造。
【請求項１０】
前記スピーカキャビネット内には、前記開口部から挿脱自在なチューニングボードが収納自在であることを特徴とする請求項１乃至請求項９のいずれかに記載の壁構造。
【請求項１１】
前記スピーカキャビネット内には、メインアンプが収納されていることを特徴とする請求項１乃至請求項１０のいずれかに記載の壁構造。
【請求項１２】
前記壁面には、前記スピーカキャビネットが収納可能な縦断面略コ字状の収納凹部が形成されており、上記スピーカキャビネットは、部屋の床面から収納凹部の天面部までの高さを有して構成されていることを特徴とする請求項１乃至請求項１１のいずれかに記載の壁構造。
【請求項１３】
前記凹部の奥行き寸法は、前記スピーカキャビネットの奥行き寸法と略同一に形成され、上記スピーカキャビネットを上記収納凹部に収納したときに、スピーカキャビネットの前面部が壁面と略面一となるように構成されていることを特徴とする請求項１２に記載の壁構造。
【請求項１４】
前記スピーカキャビネットの上面部には、高さ調整手段を配設し、該高さ調整手段は、上記スピーカキャビネットと収納凹部の天井との間を突っ張り支持固定するように構成されていることを特徴とする請求項１２又は請求項１３のいずれかに記載の壁構造。
【請求項１５】
前記スピーカキャビネットのキャビネット本体は、建物躯体の強度材として機能する剛体で形成されていることを特徴とする請求項１乃至請求項１４のいずれかに記載の壁構造。
【請求項１６】
前記スピーカキャビネットの天井板部と部屋の天井面又は収納凹部の天井面との間には空間が形成されていることを特徴とする請求項１乃至請求項１４のいずれかに記載の壁構造。
【請求項１７】
前記スピーカキャビネットは、自立可能に構成されていると共に、キャスター又はレール部材に沿って移動自在であることを特徴とする請求項１乃至請求項１５のいずれかに記載の壁構造。
【請求項１８】
前記スピーカキャビネットを、前記収納凹部の天面部又は部屋の天井部と前記収納凹部の底面又は部屋の床板との間に回動可能に軸支したことを特徴とする請求項１乃至請求項１５のいずれかに記載の壁構造。
【請求項１９】
前記スピーカキャビネット及び／又は映像機器の配線は、スピーカキャビネットの背面側及び／又は平板パネルの背面側で接続可能に構成したことを特徴とする請求項１乃至請求項１８のいずれかに記載の壁構造。
【請求項２０】
請求項５に記載の壁構造において、前記平板パネルの映像機器が取り付けられる部分を除く部分を複数に分割し、各分割パネルは、平板パネルを支持する枠部材に着脱自在に係止可能であることを特徴とする壁構造。
【請求項２１】
前記映像機器が取り付けられる部分を除く分割された平板パネルのうち、少なくとも一枚の分割パネルが取り付けられる部位に配線の接続端子を配置し、又は、これら各分割パネルの連結係止部或は係止支持枠部を配線可能な溝状若しくはパイプ状に形成したことを特徴とする請求項２０に記載の壁構造。
【請求項２２】
前記平板パネルの映像機器が取り付けられる部位の下方に、セリフ用スピーカを配置したことを特徴とする請求項４、請求項５、請求項７乃至請求項２１のいずれかに記載の壁構造。
【請求項２３】
請求項１乃至請求項２２のいずれかに記載の壁構造が設置された部屋の出入口の近傍の壁面部に、上記音響装置及び／又は映像装置の電源のオン・オフ制御及び音量コントローラを配設したことを特徴とする壁構造。
【請求項２４】
前記音響装置及び／又は映像装置の電源のオン・オフ制御回路には、ディレイ回路が接続されていることを特徴とする請求項２３に記載の壁構造。
【請求項２５】
前記壁は、仕切り壁であることを特徴とする請求項１乃至請求項２４のいずれかに記載の壁構造。
【請求項２６】
前記壁には、２００Ｖを１００Ｖに変換する専用トランスが付設されていることを特徴とする請求項１乃至請求項２５のいずれかに記載の壁構造。
【発明の詳細な説明】
【技術分野】
【０００１】
この発明は、低周波数域の再生スピーカを内臓した部屋の壁構造に関する。
【背景技術】
【０００２】
従来の音楽を聞かせるための鑑賞室としては、特許文献１に示すように、映像手段とその音声手段とから成る映像装置を部屋の壁に配設し、かつ、鑑賞室の床裏にスピーカの音を伝える空間を形成すると共に、壁裏にもスピーカの音を伝える空間を形成し、床や壁に対しその裏側から音を与えて振動させ、室内の鑑賞者に床や壁からの音響を加えて臨場感を体感させることができるように構成したものが公知である。
【０００３】
【特許文献１】特開平７−１７０５８５号公報
【０００４】
ところで、従来のスピーカ・システムにおいて、再生する低音域を拡大する構成としてバスレフ型（位相反転型）キャビネットを用いるバスレフ型スピーカが公知がよく知られている。
【０００５】
このバスレフ型スピーカは、キャビネットに取り付けられたスピーカキャビネットの振動板の背面側からの音（キャビネット内側の音）を、キャビネットに設けたポートまたはダクトを通して位相を１８０度反転させて、スピーカキャビネットの振動板の前方（前面側）からの音の位相と同じにして出してやることにより、低い周波数までの再生を有効に行えるようにしたものである。
【０００６】
このように構成されてなるバスレフ型キャビネットは、比較的小容積のキャビネットでありながら、再生最低周波数を低くすることができるので、従来から多用されている。
【０００７】
しかしながら、上記従来の鑑賞室は、鑑賞に耐え得るバランスの良い綺麗な音楽を聴かせるためのものであって、部屋の内壁側を、反響或いは吸音構造に工夫するだけであり、上記バスレフ型スピーカなどの低周波数域再生用スピーカボックスも、室内に配置されるのが普通で、精々、壁にスピーカの箱体部分が掛けられるだけで、スピーカの正面は室内に臨まされていただけであるため、よほど大容量のスピーカボックスでなければ豊かな重低音が得られず、体に心地よく響く低周波数域の音を容易に再生することができない、という問題を有していると共に、上記スピーカは、別売りのテレビジョン等の映像装置や他の家具との調和性がないため、部屋のトータルインテリアデザイン性が損なわれる、という問題と、映像機器とスピーカとが面一に配置されないのが一般的であるため、視聴者には、映像と音がずれて伝わるため、違和感があり、長時間視聴した場合には、疲れ易い、という問題を有していた。また、近年の映像機器は、液晶テレビやプラズマテレビに見られるように非常に薄型であるため、大きな容量を必要とする重低音の効果的な再生ができない、という問題をも有していた。
【発明の開示】
【発明が解決しようとする課題】
【０００８】
この発明は、かかる現状に鑑み創案されたものであって、その目的とするところは、従来では再生が難しかった低周波数域の音を再生することができるスピーカを、室内に露出させることなく目立たずに配置することができ、部屋を狭めることなく、部屋を広く有効活用することができると共に、別売りのテレビジョン等の映像装置や他の家具との調和性を損なうことなく、部屋のトータルインテリアデザイン性を向上させることができ、さらには、映像機器とスピーカとを略面一に配置することが可能となるように構成することで、視聴者に映像と音を同期させて伝えることができ、長時間視聴した場合でも疲れにくく、また、近年の薄型映像機器でも効果的に低周波数域の音を再生することができる壁構造を提供しようとするものである。
【課題を解決するための手段】
【０００９】
上記目的を達成するため、請求項１に記載の発明に係る壁構造にあっては、建物の部屋を構成する壁の構造部に、再生する低周波数域を拡大する長尺の筒体からなるスピーカキャビネットを組み込んだことを特徴とする。
【００１０】
請求項２に記載の発明は、請求項１に記載の壁構造を技術的前提とし、前記スピーカキャビネットは、壁の柱部を形成していることを特徴とする。
【００１１】
請求項３に記載の発明は、請求項１又は請求項２のいずれかに記載の壁構造を技術的前提とし、前記スピーカキャビネットは、壁部に対して一以上が縦或は横に組み込まれて構成されていることを特徴とする。
【００１２】
請求項４に記載の発明は、請求項１乃至請求項３のいずれかに記載の壁構造を技術的前提とし、前記スピーカキャビネットを、映像装置が配置可能な平板パネルで連結したことを特徴とする。
【００１３】
請求項５に記載の発明は、請求項４に記載の壁構造を技術的前提とし、前記平板パネルをスピーカキャビネットの室内側に連結し、スピーカキャビネットからの再生音の室内側送出口である開口部と、映像機器の画面とを略面一に設定可能としたことを特徴とする。
【００１４】
請求項６に記載の発明は、請求項４に記載の壁構造を技術的前提とし、前記平板パネルは、スピーカキャビネットの背板部分に連結されていることを特徴とする。
【００１５】
請求項７に記載の発明は、請求項１乃至請求項６のいずれかに記載の壁構造を技術的前提とし、前記スピーカキャビネットは、中空状に形成されたキャビネット本体と、該キャビネット本体の内部空間上部に配設され再生音をキャビネット本体の端部に送出する低周波数域再生用スピーカと、該低周波数域再生用スピーカからの再生音を室内側へと送出するキャビネット本体の端部に形成された開口部と、を有して構成したことを特徴とする。
【００１６】
請求項８に記載の発明は、請求項７に記載の壁構造を技術的前提とし、前記キャビネット本体の開口部は、床板と壁面との間の蹴込み板部分に相当する部位に形成したことを特徴とする。
【００１７】
請求項９に記載の発明は、請求項１乃至請求項８のいずれかに記載の壁構造を技術的前提とし、前記スピーカキャビネットは、床板から天井までの高さ寸法を有して構成されていることを特徴とする。
【００１８】
請求項１０に記載の発明は、請求項１乃至請求項９のいずれかに記載の壁構造を技術的前提とし、前記スピーカキャビネット内には、前記開口部から挿脱自在なチューニングボードが収納自在であることを特徴とする。
【００１９】
請求項１１に記載の発明は、請求項１乃至請求項１０のいずれかに記載の壁構造を技術的前提とし、前記スピーカキャビネット内には、メインアンプが収納されていることを特徴とする。
【００２０】
請求項１２に記載の発明は、請求項１乃至請求項１１のいずれかに記載の壁構造を技術的前提とし、前記壁面には、前記スピーカキャビネットが収納可能な縦断面略コ字状の収納凹部が形成されており、上記スピーカキャビネットは、部屋の床面から収納凹部の天面部までの高さを有して構成されていることを特徴とする。
【００２１】
請求項１３に記載の発明は、請求項１２に記載の壁構造を技術的前提とし、前記凹部の奥行き寸法は、前記スピーカキャビネットの奥行き寸法と略同一に形成され、上記スピーカキャビネットを上記収納凹部に収納したときに、スピーカキャビネットの前面部が壁面と略面一となるように構成されていることを特徴とする。
【００２２】
請求項１４に記載の発明は、請求項１２又は請求項１３のいずれかに記載の壁構造を技術的前提とし、前記スピーカキャビネットの上面部には、高さ調整手段を配設し、該高さ調整手段は、上記スピーカキャビネットと収納凹部の天井との間を突っ張り支持固定するように構成されていることを特徴とする。
【００２３】
請求項１５に記載の発明は、請求項１乃至請求項１４のいずれかに記載の壁構造を技術的前提とし、前記スピーカキャビネットのキャビネット本体は、建物躯体の強度材として機能する剛体で形成されていることを特徴とする。
【００２４】
請求項１６に記載の発明は、請求項１乃至請求項１４のいずれかに記載の壁構造を技術的前提とし、前記スピーカキャビネットの天井板部と部屋の天井面又は収納凹部の天井面との間には空間が形成されていることを特徴とする。
【００２５】
請求項１７に記載の発明は、請求項１乃至請求項１５のいずれかに記載の壁構造を技術的前提とし、前記スピーカキャビネットは、自立可能に構成されていると共に、キャスター又はレール部材に沿って移動自在であることを特徴とする。
【００２６】
請求項１８に記載の発明は、請求項１乃至請求項１５のいずれかに記載の壁構造を技術的前提とし、前記スピーカキャビネットを、前記収納凹部の天面部又は部屋の天井部と前記収納凹部の底面又は部屋の床板との間に回動可能に軸支したことを特徴とする。
【００２７】
請求項１９に記載の発明は、請求項１乃至請求項１８のいずれかに記載の壁構造を技術的前提とし、前記スピーカキャビネット及び／又は映像機器の配線は、スピーカキャビネットの背面側及び／又は平板パネルの背面側で接続可能に構成したことを特徴とする。
【００２８】
請求項２０に記載の発明は、請求項５に記載の壁構造において、前記平板パネルの映像機器が取り付けられる部分を除く部分を複数に分割し、各分割パネルは、平板パネルを支持する枠部材に着脱自在に係止可能であることを特徴とする。
【００２９】
請求項２１に記載の発明は、請求項２０に記載の壁構造を技術的前提とし、前記映像機器が取り付けられる部分を除く分割された平板パネルのうち、少なくとも一枚の分割パネルが取り付けられる部位に配線の接続端子を配置し、又は、これら各分割パネルの連結係止部或は係止支持枠部を配線可能な溝状若しくはパイプ状に形成したことを特徴とする。
【００３０】
請求項２２に記載の発明は、請求項４、請求項５、請求項７乃至請求項２１のいずれかに記載の壁構造を技術的前提とし、前記平板パネルの映像機器が取り付けられる部位の下方に、セリフ用スピーカを配置したことを特徴とする。この発明において、セリフ用スピーカとは、モノラルでセリフやニュース等の会話を、視聴者の正面から再生するものをいう。
【００３１】
請求項２３に記載の発明は、請求項１乃至請求項２２のいずれかに記載の壁構造が設置された部屋の出入口の近傍の壁面部に、上記音響装置及び／又は映像装置の電源のオン・オフ制御及び音量コントローラを配設したことを特徴とする。
【００３２】
請求項２４に記載の発明は、請求項２３に記載の壁構造を技術的前提とし、前記音響装置及び／又は映像装置の電源のオン・オフ制御回路には、ディレイ回路が接続されていることを特徴とする。
【００３３】
請求項２５に記載の発明は、請求項１乃至請求項２４のいずれかに記載の壁構造を技術的前提とし、前記壁を、仕切り壁としたことを特徴とする。
【００３４】
請求項２６に記載の発明は、請求項１乃至請求項２４のいずれかに記載の壁構造を技術的前提とし、前記壁には、２００Ｖを１００Ｖに変換する専用トランスを付設したことを特徴とする。
【発明の効果】
【００３５】
以上説明したように、請求項１に記載の発明にあっては、建物の部屋を構成する壁の構造部に、再生する低周波数域を拡大する長尺の筒体からなるスピーカキャビネットを組み込んで構成したので、従来では再生が難しかった低周波数域の音を、室内に露出させることなく目立たずに配置して再生することができ、該スピーカキャビネットは長尺の筒体で構成されているので、大型サイズのスピーカキャビネットを室内に露出させないで済むため、部屋を狭めることなく、部屋を広く有効活用することができ、しかも、該スピーカキャビネットの低周波数域の再生音の送出口を、後記する平板パネルに取り付けられた映像機器と面一に配置することで、映像と音のズレをなくして、長時間視聴しても疲れにくい壁構造を提供することができる。
【００３６】
次に、請求項２に記載の発明にあっては、前記スピーカキャビネットは、壁の柱部を形成して構成されるので、壁の構造を複雑化することがなく、十分な壁自立強度を得つつ、十分に迫力がある低周波数域の再生を得ることができる。
【００３７】
請求項３に記載の発明にあっては、前記スピーカキャビネットは、壁部に対して一以上が縦或は横に組み込まれて構成されるので、部屋のレイアウトや居住者の好みに応じた低周波数域の再生を選択することができる。勿論、基本的には１対のスピーカキャビネットを離間させて並設するのが望ましいが、この発明にあってはこれに限定されるものではなく、１本でも十分な低周波数域の再生音を得ることができ、また、該スピーカキャビネットを複数本、部屋の他の壁に配置してサラウンド効果が得られるように配置することもできる。
【００３８】
請求項４に記載の発明にあっては、前記スピーカキャビネットを、映像装置が配置可能な平板パネルで連結したので、液晶テレビやプラズマテレビ等の薄型テレビジョンやビデオスクリーン等を簡単に取り付けることができる。
【００３９】
請求項５に記載の発明にあっては、前記平板パネルを、スピーカキャビネットの室内側で連結し、スピーカキャビネットからの再生音の室内側送出口である開口部と、映像機器の画面とを略面一に設定可能としたので、画像と音の時間的なズレが発生しないため、長時間視聴していても疲れにくく、また、室内のトータルインテリアデザイン性を向上させることもできる。
【００４０】
請求項６に記載の発明にあっては、前記平板パネルを、スピーカキャビネットの背板部分で連結したので、平板パネルの前面側に形成された平面形状がコ字状の収納空間が形成されるため、該収納空間にサイドキャビネット等の家具を配置したり、アンプやＣＤプレイヤー、ビデオデッキ、ＤＶＤデッキ等の音響機器や映像再生機器或は照明スタンド等を配置することができ、使い勝手性が向上する。
【００４１】
請求項７に記載の発明にあっては、前記スピーカキャビネットは、中空状に形成されたキャビネット本体と、該キャビネット本体の内部空間上部に配設され再生音をキャビネット本体の端部に送出する低周波数域再生用スピーカと、該低周波数域再生用スピーカからの再生音を室内側へと送出するキャビネット本体の端部に形成された開口部と、を有して構成されているので、低周波数域の再生音を床面方向から室内に供出することができ、心地よい低重音を体感することができ、また、家具等を置いても、この家具等によって再生音が減衰されたりするといった影響を受ける心配がない。
【００４２】
請求項８に記載の発明にあっては、前記キャビネット本体の開口部を、床板と壁面との間の蹴込み板部分に相当する部位に形成したので、低周波数域の再生音を確実に床面へと伝達することができると共に、低周波数域の再生音の出口が目立たない場所に配設されているので、室内のインテリアデザイン性が損なわれない、という効果が得られる。
【００４３】
請求項９に記載の発明にあっては、前記スピーカキャビネットを、床板から天井までの高さ寸法を有して構成したので、該スピーカキャビネットを部屋の構造材として用いることができ、しかも、大型サイズとなる低周波数域の再生スピーカが部屋に露出しないので、室内空間を広く有効に活用することが可能となる。
【００４４】
請求項１０に記載の発明にあっては、前記スピーカキャビネット内に、前記開口部から挿脱自在なチューニングボードが収納自在としたので、好みに応じた低周波数域の再生音を微調整することが簡単にできる。
【００４５】
請求項１１に記載の発明にあっては、前記スピーカキャビネット内に、メインアンプを収納したので、スピーカケーブルを短くすることができ、その結果、再生音の音質を向上させることができると共に、該メインアンプの電源をオン／オフ制御する回路に、ディレイ回路を接続することで、電源オン時に発生するノイズを防止することも可能となり、しかも、該メインアンプが室内に露出せず、室内インテリア性を向上させることができる。
【００４６】
請求項１２に記載の発明にあっては、前記壁面に、前記スピーカキャビネットが収納可能な縦断面略コ字状の収納凹部を形成し、上記スピーカキャビネットは、部屋の床面から収納凹部の天面部までの高さを有して構成されているので、低周波数域の再生に有効な大容量のスピーカキャビネットを壁面から突出しないように収納して形成することができ、室内を広く活用することができる。
【００４７】
請求項１３に記載の発明にあっては、前記凹部の奥行き寸法を、前記スピーカキャビネットの奥行き寸法と略同一に形成し、上記スピーカキャビネットを上記収納凹部に収納したときに、スピーカキャビネットの前面部が壁面と略面一となるように構成したので、画像と音の時間的なズレが発生しないため、長時間視聴していても疲れにくく、また、該スピーカキャビネット自体が壁面構造材として機能し、しかも、該スピーカキャビネットが壁面から突出しないので、室内を広く活用することができる。
【００４８】
請求項１４に記載の発明にあっては、前記スピーカキャビネットの上面部に、高さ調整手段を配設し、該高さ調整手段は、上記スピーカキャビネットと収納凹部の天井との間を突っ張り支持固定するように構成したので、低周波数域の再生音振動によってスピーカキャビネットが移動したり転倒する心配がなく、また、地震等によって本音響装置が転倒するのを有効に防止することができると共に、低周波数域の再生音に伴うビビリ音の発生も効果的に抑制することができる。
【００４９】
請求項１５に記載の発明にあっては、前記スピーカキャビネットのキャビネット本体を、建物躯体の強度材として機能する剛体で形成したので、壁面構造材として壁面の強度が低下することはなく、しかも、音響特性に影響するビビリ音の発生を有効に抑制することができる。
【００５０】
請求項１６に記載の発明にあっては、前記スピーカキャビネットの天井板部と部屋の天井面又は収納凹部の天井面との間に空間を形成して構成したので、低周波数域の再生音を該空間から室内へと送ることができ、また、間接照明と組み合わせることで、室内インテリア性を効果的に演出することも可能となる。
【００５１】
請求項１７に記載の発明にあっては、前記スピーカキャビネットを、自立可能に構成すると共に、キャスター又はレール部材に沿って移動自在に構成したので、簡単に音響装置を所望の位置まで移動させることができ、多彩な場所からの低周波数域の再生音を再現することができると共に、キャビネットの搬入や設置及び配線作業やメンテナンス作業を容易に行なうことができる。
【００５２】
請求項１８に記載の発明にあっては、前記スピーカキャビネットを、前記収納凹部の天面部又は部屋の天井部と前記収納凹部の底面又は部屋の床板との間に回動可能に軸支したので、壁の強度を損なうことなく、スピーカキャビネット自体の再生音送出方向を簡単に変更することができ、また、スピーカキャビネットの搬入や設置及び配線作業やメンテナンス作業を容易に行なうことができる。
【００５３】
請求項１９に記載の発明にあっては、前記スピーカキャビネット及び／又は映像機器の配線は、スピーカキャビネットの背面側及び／又は平板パネルの背面側で接続可能に構成したので、配線類が壁面の表側に露出せず、インテリア性が損なわれない、という効果が得られる。
【００５４】
請求項２０に記載の発明にあっては、請求項５に記載の壁構造において、前記平板パネルの映像機器が取り付けられる部分を除く部分を複数に分割し、各分割パネルは、平板パネルを支持する枠部材に着脱自在に係止可能に構成したので、重量がある映像機器は強い強度部分で保持することができると共に、平板パネルを小型化できるので、運搬・組立て作業が容易となり、また、１枚が傷損した場合には交換も容易で、かつ低コストで行なうことができる等の効果が得られる。
【００５５】
請求項２１に記載の発明にあっては、前記映像機器が取り付けられる部分を除く分割された平板パネルのうち、少なくとも一枚の分割パネルが取り付けられる部位に配線の接続端子を配置し、又は、これら各分割パネルの連結係止部或は係止支持枠部を配線可能な溝状若しくはパイプ状に形成したので、映像機器と音響機器の配線接続や接続換えを壁の前面側から簡単に行なうことができ、しかも接続後は上記分割パネルで隠蔽することができるので、配線類が壁面の表側に露出せず、インテリア性が損なわれることはない。
【００５６】
請求項２２に記載の発明は、前記平板パネルの映像機器が取り付けられる部位の下方に、モノラル再生のセリフ用スピーカを配置したので、ステレオ再生が基本の従来の映像機器や音響機器では聞き取り難かったセリフやニュースを映像機器の正面で、クリアな音で聴別することができ、快適性が向上する。
【００５７】
請求項２３に記載の発明にあっては、請求項１乃至請求項２２のいずれかに記載の壁構造が設置された部屋の出入口の近傍の壁面部に、上記音響装置及び／又は映像装置の電源のオン・オフ制御及び音量コントローラを配設したので、部屋を出入りするときに、音響装置と映像装置の電源のオン・オフ制御及び音量をコントロールすることができ、音響装置と映像装置の電源及び音量の制御を逐一各装置毎に行なう必要がなく、使い勝手性が向上し、また、音響機器や映像装置の消し忘れ等を防止することができ、さらには、音響装置と映像装置の構成を簡略化することもできる。
【００５８】
請求項２４に記載の発明にあっては、前記音響装置及び／又は映像装置の電源のオン・オフ制御回路に、ディレイ回路を接続して構成したので、音響装置及び／又は映像装置の電源のオン・オフ制御時に発生し易いノイズを防止することができる。
【００５９】
請求項２５に記載の発明にあっては、前記壁を、部屋の仕切り壁として利用することができる。
【００６０】
請求項２６に記載の発明にあっては、前記壁に、家庭用の一般的な消費電力用とは全く別の、当該部屋で使用する映像機器及び音響機器専用の電源となる２００Ｖを１００Ｖに変換する専用トランスを付設させて構成したので、電気容量が大きい映像機器と音響機器とを同時に使用したとしても、家庭用の一般的な電力使用には影響を及ぼさないため、安心して映像機器及び音響機器を使用することができる。また、電源の極性を合わせることもでき、他の電気機器からのノイズを防止することもでき、さらには、電圧低下も防止することができる。
【発明を実施するための最良の形態】
【００６１】
以下、添付図面に示す発明の実施例に基づき、この発明を詳細に説明する。
【実施例１】
【００６２】
図１と図２は、この発明の一実施例に係る壁構造が適用された建物の部屋Ｒの一例を示しており、この部屋Ｒの一面の壁Ｗ１を構成する筒状の柱であるスピーカキャビネット１，１には、低周波数域の音を再生する音響装置Ｍが配設され、壁全体をＡＶ機器が効果的に、かつ、機能的に美しくデザインされた所謂エンターテイメントウオールが実現されるように構成されている。
【００６３】
即ち、一対の長尺の角筒体で構成されたスピーカキャビネット１，１は、その前面側に平板パネル２で連結されており、該スピーカキャビネット１，１が設置される壁面部全体を、部屋の他の壁面と同一のデザインと材質からなる一枚の化粧ボード等で形成されてなる板材で隠蔽可能に構成されており、該平板パネル２の略中央部であって、液晶テレビやプラズマテレビ等の薄型テレビジョンやビデオスクリーン等の映像機器Ｖ及び該映像機器ＶのスピーカボックスＢ，Ｂを吊持する部位は、これら映像機器Ｖ及びスピーカボックスＢ，Ｂを堅牢に吊持可能な強度を有するように構成されている。
【００６４】
本実施例１では、上記平板パネル２を、スピーカキャビネット１，１の室内側で連結したので、画像と音の時間的なズレが発生せず、また、室内のトータルインテリアデザイン性を向上させることができる。
【００６５】
スピーカキャビネット１，１は、その本体が建物躯体の強度材として機能する金属材や硬質合成樹脂等の剛体で形成し、壁面構造材として壁面の強度が低下しないように構成すると共に、音響特性に影響するビビリ音の発生を有効に抑制することができるように構成されている。そして、そのキャビネット本体の横断面（高さ方向に直交する断面）の形状は、正方形あるいは長方形からなる直方体形状の箱形に形成されている。勿論、この発明にあっては、当該スピーカキャビネット１，１の横断面形状を上記実施例１の態様に限定するものではなく、円形、多角形、楕円形等、部屋のインテリアデザインや居住者の好みに対応させて適宜選択して形成することができる。
【００６６】
また、スピーカキャビネット１，１の内部空間上部には、図３に示すように、再生音をキャビネット１，１の下端部に開設された開口部４へと送出する低周波数域再生用スピーカであるバスレフ型スピーカ３が固定されており、低周波数域の再生音を床面方向から室内に供出することができるように構成されている。
【００６７】
尚、本実施例１では、スピーカキャビネット１，１の前面部に平板パネル２が配設される構造であるため、スピーカキャビネット１，１の上記開口部４が塞がれないように、床板と壁面との間の蹴込み板部分に相当する部位に同様の開口部２Ａを形成し、該開口部２Ａにサランネットやメッシュ、パンチングメタル等の透音体５で覆い隠すように構成するのが望ましい。このように構成することで、低周波数域の再生音を確実に床面Ｆへと伝達することができると共に、低周波数域の再生音の出口４，２Ａが目立たない場所に配設されているので、平板パネル２に取り付けられた映像機器の画像と低周波数域の再生音の時間的なズレが発生しないため、長時間視聴していても疲れにくく、室内のインテリアデザイン性が損なわれない。勿論、上記開口部４，２Ａは、実施例１のようにスピーカキャビネット１，１及び平板パネル２の下部に限定されるものではなく、図３に示すように、スピーカキャビネット１，１及び平板パネル２の上部に形成してもよい。
【００６８】
また、この実施例１では、上記スピーカキャビネット１，１の下部に形成された開口部４にチューニングボード６を挿脱自在としたので、該チューニングボード６を必要数挿脱して調整することで、好みに応じた低周波数域の再生音を微調整することができる。これは、本発明では、スピーカキャビネット１，１が壁構造体として組み込まれるため、容易に低周波数域の再生音を聴者の好みに応じて簡単に調整することができない構造であるため、このような壁構造には特に有効である。
【００６９】
さらに、この実施例１では、上記スピーカキャビネット１，１内に、図３に示すように、メインアンプ７を収納したので、スピーカケーブルを短くすることができ、その結果、再生音の音質を向上させることができると共に、該メインアンプの電源をオン／オフ制御する回路に、ディレイ回路を接続することで、電源オン時に発生するノイズを防止することもでき、さらに、音響装置のメインアンプ７が室内に露出しないので、室内インテリア性を向上させることができる。尚、本実施例１において、上記スピーカキャビネット１，１で低周波数域の音を再生するシステムは、公知の音響システムを適用することができるので、その詳細な説明をここでは省略する。
【００７０】
またさらに、この実施例１では、前記平板パネル２を、スピーカキャビネット１，１間を覆う大きさに形成したので、低周波数域の再生に有効な大容量のスピーカキャビネットを壁面から突出しないように収納して形成することができ、室内を広く活用することができると共に、薄型の映像機器であっても、迫力がある低周波数域の再生音を体感聴取することができる。勿論、この発明にあっては、前記平板パネル２を、壁面全体を覆う大きさに形成してもよい。
【００７１】
尚、上記実施例１では、前記平板パネル２を一枚の板材で形成した場合を例にとり説明したが、この発明にあってはこれに限定されるものではなく、例えば、図３に示すように、前記平板パネル２の映像機器ＶやスピーカボックスＢ，Ｂ及びセリフ用スピーカＳが取り付けられる部分２Ｂ１，２Ｂ２，２Ｂ３を除く部分を２２枚に分割し、これら各分割パネル２Ｃ１乃至２Ｃ１９は、これら各分割パネルを支持する枠部材（図示せず）に着脱自在に係止するように構成することができる。勿論、分割枚数は、２２枚に限定されるものではなく、壁面の大きさや運搬・作業の容易性或はデザインに対応させて適宜数に分割することができる。
【００７２】
このように平板パネル２を分割形成することで、重量がある映像機器ＶやスピーカボックスＢ，Ｂは枠部材に固定されるので、強い強度部分で保持することができ、安全であると共に、分割パネル化することで、小型化が可能となり、運搬・組立て作業が非常に容易となると共に、例えば、１枚が傷損した場合には、その交換も容易かつ低コストで行なうことができる等の効果が得られる。
【００７３】
また、本実施例１では、上記セリフ用スピーカＳが配設されている。このセリフ用スピーカＳは、映像機器Ｖで再生される画像のセリフやニュース部分のみをモノラルで再生するもので、近年のステレオ再生が基本の映像機器やラジオ放送において、セリフ部分やニュースが聞きにくくなっていることに配慮することで、セリフやニュースを映像機器Ｖの正面で、クリアな音で聴別することができるように構成されている。
【００７４】
尚、図３に示す実施例では、前記映像機器Ｖ等が取り付けられる部分２Ｂ１，２Ｂ２，２Ｂ３を除く分割されたパネル２Ｃ１乃至２Ｃ１９のうち、分割パネル２Ｃ１８及び２Ｃ１９が取り付けられる部位に、映像機器ＶやスピーカボックスＢ，Ｂ、セリフ用スピーカＳ及びスピーカキャビネット１，１のスピーカ３への配線の接続端子を配置したので、映像機器Ｖと音響機器Ｂ，Ｓ，７の配線接続や接続換えを、壁の前面側から簡単に行なうことができ、しかも接続後は、上記分割パネル２Ｃ１８及び２Ｃ１９で隠蔽することができるので、配線類が壁面の表側に露出せず、インテリア性が損なわれることはない。勿論、これらの接続端子の配置場所は図示例に限定されるものではなく、例えば、図３に仮想線で示すように、映像機器Ｖの配置部位の上部に配置される分割パネル２Ｃ１６及び２Ｃ１７の裏面側に配置してもよく、さらには、スピーカボックスＢ，Ｂの横側の分割パネル２Ｃ４，２Ｃ５，２Ｃ１２，２Ｃ１３の裏面側に配置しても構わない。
【００７５】
このように配置された映像機器Ｖ及び音響機器Ｂ，Ｓ，７のオン・オフ制御及び音量コントロールは、本実施例１に係る壁構造が設置された部屋Ｒの出入口近傍の壁面部Ｗ２に配設された上記音響装置Ｂ，Ｓ，７及び／又は映像装置Ｖの電源スイッチ８及び音量コントローラ９により行なう。
【００７６】
このように構成することで、部屋を出入りするときに、音響装置Ｂ，Ｓ，７と映像装置Ｖの電源のオン・オフ制御及び音量をコントロールすることができ、音響装置Ｂ，Ｓ，７と映像装置Ｖの電源及び音量の制御を逐一、各装置毎に行なう必要がなくなるため、使い勝手がよく、また、音響機器Ｂ，Ｓ，７や映像装置Ｖの消し忘れ等を防止することができると共に、音響装置Ｂ，Ｓ，７と映像装置Ｖの構成を簡略化することもできる。
【００７７】
本実施例１では、上記構成に加え、前記音響装置Ｂ，Ｓ，７と映像装置Ｖの電源のオン・オフ制御回路（図示せず）に、ディレイ回路を接続して構成したので、音響装置Ｂ，Ｓ，７と映像装置Ｖの電源のオン・オフ制御時に発生し易いノイズを確実に防止し、不快感を感じないように配慮されている。
【００７８】
また、この実施例１に係る壁には、特に図示はしないが、家庭用の一般的な消費電力用とは全く別の、当該部屋Ｒで使用する映像機器Ｖ及び音響機器Ｂ，Ｓ，７専用の電源となる２００Ｖを１００Ｖに変換する専用トランスを付設させて構成されている。このため、電気容量が大きい映像機器Ｖと音響機器Ｂ，Ｓ，７とを同時に使用したとしても、家庭用の一般的な電力使用には影響を及ぼさないため、安心して映像機器Ｖ及び音響機器Ｂ，Ｓ，７を使用することができる。また、電源コンセントの極性を合わせることもでき、他の電気機器からのノイズを防止することもでき、さらには、電圧低下も防止することができる。
【００７９】
この実施例１に係る壁構造は、以上説明したように、建物の部屋を構成する壁の構造部に、再生する低周波数域を拡大する長尺の筒体からなるスピーカキャビネット１，１を組み込んで構成したので、従来では再生が難しかった低周波数域の音を、室内に露出させることなく目立たずに配置して再生することができ、しかも、該スピーカキャビネット１，１は長尺の筒体で構成されているので、再生する低周波数域を容易に再生し拡大することができると共に、、しかも、該スピーカキャビネット１，１における低周波数域の再生音の送出口４，２Ａを、平板パネル２に取り付けられた映像機器Ｖと面一に配置することで、映像と音のズレをなくして、長時間視聴しても疲れにくくすることが可能であり、また、大型サイズのスピーカキャビネット１，１を室内に露出させないで済むため、部屋を狭めることなく、部屋を広く有効活用することができ、さらには、低周波数域の迫力がある再生音を再生することが不可能な薄型映像機器Ｖであって、迫力ある重低音を再生することができる。
【００８０】
また、本実施例１に係る壁構造にあっては、スピーカキャビネット１，１を、壁の柱部として構成したので、壁の構造を複雑化することがなく、十分な壁自立強度を得つつ、十分に迫力がある低周波数域の再生を得ることができる。
【００８１】
さらに、本実施例１に係る壁構造にあっては、前記スピーカキャビネット１，１を、壁部に対して一以上が縦或は横に組み込むことができるように構成したので、部屋Ｒのレイアウトや居住者の好みに応じた低周波数域の再生を選択することができる。そして、１対のスピーカキャビネット１，１を離間させて並設した場合には、迫力ある低周波数域の再生音をステレオで体感聴取することができる。勿論、本スピーカキャビネット１は、１本でも十分な低周波数域の再生音を得ることができる。また、該スピーカキャビネット１，１を複数本、部屋の他の壁に配置することでサラウンド効果を得ることも可能である。
【００８２】
尚、本実施例１における上記映像機器及び音響機器の配線の収納手段としては、図５に示す構造とすることも可能である。
【００８３】
即ち、図５に示す例では、分割パネルを５枚の大型パネル２Ｄ１乃至２Ｄ５と２枚の細幅パネル２Ｄ６，２Ｄ７とで構成すると共に、これら各分割パネル２Ｄ１乃至２Ｄ７を保持する枠部材を、縦枠部材１５，１５と横枠部材１６，１６とで構成し、該横枠部材１６，１６をパイプ状に形成して映像機器（図示せず）や音響機器１２及び前記スピーカ３，３への配線類を収納するように構成されている。このように構成することで、配線類が外部に露呈せず、インテリア性が損なわれない。勿論、上記縦枠部材１５，１５を上記横枠部材１６，１６と同様に構成し、図５に示すように、照明器具の配線を収納するように構成してもよく、また、上記分割パネル２Ｄ１乃至２Ｄ７の枠部材への係止片部をパイプ状に形成して、これに配線を挿通してもよい。尚、本例では、細幅パネル２Ｄ６と２Ｄ７との間に棚部を形成し、この棚部に音響機器１２を配置すると共に、該棚部の両側にＡＶ切替パッチベイ１７，１７を配置し、さらに、部屋の照明や音響装置の電源スイッチや音量コントローラ等の各種スイッチ類を統合したパネルスイッチ８，９を横枠部材１６を通して分割パネル２Ｄ３に取り付けて構成している他は、他の構成及び作用は、上記実施例１と同様であるので、図面には実施例１と同一の符号を付して、その詳細な説明をここでは省略する。また、映像機器をパネルに取り付ける金具自体を、配線を挿通可能に形成してもよい。
【実施例２】
【００８４】
図６と図７は、この発明の実施例２に係る壁構造を示しており、この実施例２では、前記平板パネル２を、スピーカキャビネット１，１の背板部分で連結すると共に、部屋の壁部Ｗ１に、該スピーカキャビネット１，１及び平板パネル２を収納する収納凹部１０を形成した他は、以下に特に説明がない構成部分については、実施例１と同様に構成され作用して同様の効果を奏するので、図面には実施例１と同一の符号を付して、その詳細な説明をここでは省略する。
【００８５】
即ち、本実施例２では、平板パネル２の前面側に形成された平面形状がコ字状の収納空間が形成されるため、該収納空間にサイドキャビネット等の家具１１を配置したり、アンプやＣＤプレイヤー、ビデオデッキ、ＤＶＤデッキ等の音響機器１２や映像再生機器Ｖ、セリフ用スピーカＳ及び照明スタンド（図示せず）を配置することができるように構成されている。
【００８６】
そして、上記収納凹部１０の奥行き寸法は、前記スピーカキャビネット１，１の奥行き寸法と略同一に形成されており、上記スピーカキャビネット１，１を上記収納凹部１０に収納したときに、スピーカキャビネット１，１の前面部１Ａ，１Ａが壁面Ｗ１と略面一となるように構成されている。このように構成することで、スピーカキャビネット１，１自体が壁面構造材として機能し、しかも、該スピーカキャビネット１，１が壁面から突出しないので、室内を広く活用することができる。
【００８７】
また、本実施例２では、前記スピーカキャビネット１，１の上面部に、特に図示はしないが、公知の転倒防止具等で構成されてなる高さ調整装置が配設されており、該高さ調整装置は、上記スピーカキャビネット１，１と収納凹部１０の天井との間を突っ張り支持固定するように構成されている。このように構成することで、低周波数域の再生音振動によってスピーカキャビネット１，１が移動したり転倒する心配がなく、また、地震等によって音響装置等が転倒するのを有効に防止することができると共に、低周波数域の再生音に伴うビビリ音の発生も効果的に抑制することができる。
【００８８】
さらに、この実施例２では、上記スピーカキャビネット１，１を、自立可能に構成すると共に、キャスター又はレール部材（図示せず）に沿って移動自在に構成することで、簡単に映像装置Ｖ及び音響装置類を所望の位置まで移動させることができ、多彩な場所からの低周波数域の再生音を再現することができると共に、スピーカキャビネット１，１の搬入や設置及び配線作業やメンテナンス作業を容易に行なうことができる。
【００８９】
また、本実施例２においては、一方のスピーカキャビネット１（図６参照）を、前記収納凹部１０の天面部と底面との間に軸１３を介して回動可能に軸支したので、壁の強度を損なうことなく、スピーカキャビネット１，１自体の再生音送出方向を簡単に変更することができ、また、スピーカキャビネット１，１の搬入や設置及び配線作業やメンテナンス作業を容易に行なうことができる。
【００９０】
さらに、本実施例２では、上記スピーカキャビネット１，１と映像機器Ｖ及び音響機器の配線を、スピーカキャビネット１，１の背面側と平板パネル２の背面側で接続可能に構成したので、配線類が壁面の表側に露出せず、インテリア性が損なわれない、という効果が得られる。
【００９１】
尚、上記各実施例１，２では、前記スピーカキャビネット１，１の天井板部と部屋の天井面又は収納凹部１０の天井面との間を密接させた場合を例に取り説明したが、この発明にあってはこれに限定されるものではなく、スピーカキャビネット１，１の天井板部と部屋の天井面又は収納凹部１０の天井面との間に空間を形成して構成することもでき、この場合には、低周波数域の再生音を該空間から室内へと送ることができ、また、間接照明と組み合わせることで、室内インテリア性を効果的に演出することができる。
【００９２】
さらに、この発明にあっては、本壁構造を部屋の仕切り壁にも適用することもできる。
【産業上の利用可能性】
【００９３】
この発明に係る壁構造は、以上のように構成されているので、本格派のＡＶマニアに必要とされる基本的機能を備えた部屋と壁を提供することができ、壁だけで豊かな音響と映像が楽しめる空間を実現することができる。
【図面の簡単な説明】
【００９４】
【図１】この発明の実施例１に係る壁構造が適用された部屋の構成説明図である。
【図２】同部屋の要部の構成を一部切断して示す分解斜視図である。
【図３】同壁構造を構成するスピーカキャビネットの縦断面図である。
【図４】同壁構造の配置例を示す説明図である。
【図５】同壁構造の配線収納が可能な壁構造の変形例を示す斜視図である。
【図６】この発明の実施例２に係る壁構造が適用された部屋の構成説明図である。
【図７】同部屋の要部の構成を一部切断して示す分解斜視図である。
【符号の説明】
【００９５】
Ｂ  スピーカボックス
Ｒ  部屋
Ｓ  セリフ用スピーカ
Ｖ  映像機器
Ｗ１，Ｗ２  壁
１，１スピーカキャビネット
２  平板パネル
２Ａ  開口部
２Ｂ１，２Ｂ２，２Ｂ３  固定パネル
２Ｃ１乃至２Ｃ１９，２Ｄ１乃至２Ｄ７  分割パネル
３  スピーカ
４  開口部
６  チューニングボード
７  メインアンプ
８  電源スイッチ
９  音量コントローラ
１０  収納凹部
１３  軸
１６，１６  横枠部材
【図１】
2005150872.tif 000003
【図２】
2005150872.tif 000004
【図３】
2005150872.tif 000005
【図４】
2005150872.tif 000006
【図５】
2005150872.tif 000007
【図６】
2005150872.tif 000008
【図７】
2005150872.tif 000009